(57)【要約】  【課題】  任意の時刻に、実際の放送イメージで事前確認が可能な放送素材のプレビュー方法を提供する。  【解決手段】  放送局での放送に用いる、少なくとも本編素材、ＣＭ素材、スーパー素材を共通のビデオサーバ１０４に収録しておき、放送進行データを画面表示するとともに、プレビューを開始したとき、放送進行データに従って実際の放送イメージで、共通のビデオサーバ１０４のプレビューラインを使って画面表示して事前プレビューすることを特徴とする。【選択図】  図１
2006148644.tif 000002
【特許請求の範囲】
【請求項１】
放送局での放送に用いる、少なくとも本編素材、ＣＭ素材、スーパー素材を共通のビデオサーバに収録しておき、放送進行データを画面表示するとともに、プレビューを開始したとき、前記放送進行データに従って実際の放送イメージで、前記共通のビデオサーバに収録されている少なくとも本編素材、ＣＭ素材、スーパー素材を順次再生し、前記共通のビデオサーバのプレビューラインを使って画面表示して事前プレビューすることを特徴とする放送素材のプレビュー方法。
【請求項２】
放送局での放送に用いる、少なくとも本編素材、ＣＭ素材、スーパー素材を共通のビデオサーバに収録しておき、放送進行データを画面表示するとともに、モード選択で連続を選択してプレビューを開始したときは、前記放送進行データに従って実際の放送イメージで、前記共通のビデオサーバに収録されている素材を順次再生し、前記モード選択でＣＭカットかイベントの変化点かスーパーの少なくともいずれかを選択してプレビューを開始したときは、前記放送進行データに従って、前記共通のビデオサーバに収録されている素材から選択された素材のみを再生し、前記共通のビデオサーバのプレビューラインを使って画面表示して事前プレビューすることを特徴とする放送素材のプレビュー方法。
【請求項３】
放送局での放送に用いる、少なくとも本編素材、ＣＭ素材、スーパー素材を共通のビデオサーバに収録しておき、放送進行データを画面表示するとともに、プレビューを開始したとき、前記放送進行データに従って実際の放送イメージで、前記共通のビデオサーバに収録されている素材を順次再生し、前記共通のビデオサーバのプレビューラインを使って画面表示して事前プレビューするとともに、再プレビュー選択でプレビュー済イベントを飛ばすことを選択してプレビューを開始したときは、プレビュー済イベントを飛ばして、プレビューしていないイベントのみを再生して事前プレビューすることを特徴とする放送素材のプレビュー方法。
【請求項４】
放送局での放送に用いる、少なくとも本編素材、ＣＭ素材、スーパー素材を共通のビデオサーバに収録しておき、放送進行データを画面表示するとともに、速度を選択してプレビューを開始したときは、選択した速度で、前記放送進行データに従って実際の放送イメージで、前記共通のビデオサーバに収録されている少なくとも本編素材、ＣＭ素材、スーパー素材を順次再生し、前記共通のビデオサーバのプレビューラインを使って画面表示して事前プレビューすることを特徴とする放送素材のプレビュー方法。
【発明の詳細な説明】
【技術分野】
【０００１】
本発明は、放送進行データに従って、本編（番組）素材、ＣＭ素材、スーパー素材などの放送素材を事前プレビューする放送素材のプレビュー方法に関する。
【背景技術】
【０００２】
従来は、本編（番組）素材、ＣＭ素材、スーパー素材、音声素材を、各々別々の送出バンクシステムのビデオサーバに登録して管理していた。
【０００３】
ここで、静止画スーパー素材とは、本編（番組）素材上の特定位置にスーパーインポーズ即ちＯＬ（Ｏｖｅｒ  Ｌａｐ：重畳）し、提供するスポンサ名や再放送等の告知情報等を、静止画スーパーまたは左右方向に動くロールスーパーの形で表示する素材である。なお、ここでは、本編素材に重畳するものに限らず、本編素材と次のＣＭ素材間に独立に挿入される静止画素材等も、スーパー素材としている。
【０００４】
そのため、放送素材の事前プレビューにおいては、本編素材のみ、ＣＭ素材のみ、スーパー素材のみ、音声素材のみを、各々対応する送出バンクシステム毎に別々に行なっていた。なおＣＭ素材については、１日分のＣＭの放送進行データに従って、連続的に事前プレビューする機能を有するＣＭバンクシステムがある。
【０００５】
このため、（１）本編素材とＣＭ素材の繁ぎ目に問題がないか、（２）本編に重畳中の静止画スーパー／ロールスーパー等のタイミング、内容に問題がないか等の、実際の放送進行に沿った事前確認ができなかった。
【０００６】
またＣＭ素材のみ、放送進行データに従って、１日分のＣＭ素材を放送順に連続的に事前プレビューするだけでは、上記問題を解決できなかった。
【０００７】
放送素材の本事前プレビューに関する公開公報を調査したところ、複数の別々の映像／音声素材記憶装置（別々のビデオサーバに該当）を、実際の放送進行データに従ってＯＮ  ＡＩＲ（送出）を行う自動番組送出装置（送出制御コンピュータに該当）で、放送進行データの発行（実際）時刻から指定時間マイナスした時刻の事前確認用制御データを自動生成し、放送進行データに従って複数の映像／音声素材記憶装置のＯＮ  ＡＩＲ（送出）制御を行うとともに、事前確認用制御データに従ってＯＮ  ＡＩＲ（送出）する映像／音声素材を放送休止時間中に事前確認する技術が、公開されていた（特許文献１参照）。
【０００８】
【特許文献１】特開平１０−３２２２９５号公報
【発明の開示】
【発明が解決しようとする課題】
【０００９】
本技術によれば、ＯＮ  ＡＩＲ（送出）する映像／音声素材を事前確認することが可能となるので、ＯＮ  ＡＩＲ（送出）事故を事前に防ぐことができる。
【００１０】
しかしながら、ＯＮ  ＡＩＲ（送出）する映像／音声素材のＯＮ  ＡＩＲラインを使ってＯＮ  ＡＩＲ（送出）する時刻より指定時間前で事前確認するため、放送進行データの発行（実際の）時刻から指定時間マイナスした時刻の事前確認用制御データを自動生成する技術を必要とする。
【００１１】
また、実際の放送進行データに従ってＯＮ  ＡＩＲ（送出）を行う自動番組送出装置を用いると、ＯＮ  ＡＩＲ（送出）ラインを使用するため、放送休止時間にプレビューを行わなければならないという制限があった。
【００１２】
また、自動番組送出装置は実際の放送進行データの順番通りでのプレビューしかできないため、特定のＣＭカットを確認したり、スーパー素材のイベントの変化点とか特定のスーパーのみを確認したり、既にプレビューして確認済であるイベントを飛ばしたり、倍速再生することは、実施不可能であった。
【００１３】
本発明の目的は、ＯＮ  ＡＩＲラインを使用することなく、任意の時刻に、実際の放送イメージで事前確認が可能な放送素材のプレビュー方法を提供することにある。
【課題を解決するための手段】
【００１４】
本発明は、放送局での放送に用いる、少なくとも本編素材、ＣＭ素材、スーパー素材を共通のビデオサーバに収録しておき、放送進行データを画面表示するとともに、プレビューを開始したとき、前記放送進行データに従って実際の放送イメージで、前記共通のビデオサーバに収録されている少なくとも本編素材、ＣＭ素材、スーパー素材を順次再生し、前記共通のビデオサーバのプレビューラインを使って画面表示して事前プレビューすることを特徴とする。
【００１５】
また、本発明は、放送局での放送に用いる、少なくとも本編素材、ＣＭ素材、スーパー素材を共通のビデオサーバに収録しておき、放送進行データを画面表示するとともに、モード選択で連続を選択してプレビューを開始したときは、前記放送進行データに従って実際の放送イメージで、前記共通のビデオサーバに収録されている素材を順次再生し、前記モード選択でＣＭカットかイベントの変化点かスーパーの少なくともいずれかを選択してプレビューを開始したときは、前記放送進行データに従って、前記共通のビデオサーバに収録されている素材から選択された素材のみを再生し、前記共通のビデオサーバのプレビューラインを使って画面表示して事前プレビューすることを特徴とする。
【００１６】
また本発明は、放送局での放送に用いる、少なくとも本編素材、ＣＭ素材、スーパー素材を共通のビデオサーバに収録しておき、放送進行データを画面表示するとともに、プレビューを開始したとき、前記放送進行データに従って実際の放送イメージで、前記共通のビデオサーバに収録されている素材を順次再生し、前記共通のビデオサーバのプレビューラインを使って画面表示して事前プレビューするとともに、再プレビュー選択でプレビュー済イベントを飛ばすことを選択してプレビューを開始したときは、プレビュー済イベントを飛ばして、プレビューしていないイベントのみを再生して事前プレビューすることを特徴とする。
【００１７】
また本発明は、放送局での放送に用いる、少なくとも本編素材、ＣＭ素材、スーパー素材を共通のビデオサーバに収録しておき、放送進行データを画面表示するとともに、速度を選択してプレビューを開始したときは、選択した速度で、前記放送進行データに従って実際の放送イメージで、前記共通のビデオサーバに収録されている少なくとも本編素材、ＣＭ素材、スーパー素材を順次再生し、前記共通のビデオサーバのプレビューラインを使って画面表示して事前プレビューすることを特徴とする。
【発明の効果】
【００１８】
本発明によれば、ＯＮ  ＡＩＲラインを使用することなく、任意の時刻に、実際の放送イメージで事前確認が可能な放送素材のプレビュー方法を得ることができる。
【発明を実施するための最良の形態】
【００１９】
図１は、本発明の事前プレビュー方法を実施するところの、本編（番組）素材、ＣＭ素材、スーパー素材、音声素材を統合した放送システムの実施の形態のブロック構成図である。
【００２０】
図１において、１０１は映像音声素材、１０２は映像音声再生装置、１０３は分配器、１０４はビデオサーバ、１０５はスイッチャー、１０６はスーパー装置、１０７は映像モニタ、１０８はキャプチャーボード、１０９は登録／プレビュー卓、１１０はデータサーバ、１１１は制御用コンピュータ、１１２は上位システム（データ管理システム）、１１３は上位システム（送出制御コンピュータ）、１１４は分配器、１１５はモニタである。
【００２１】
登録／プレビュー卓１０９は、キャプチャーボード１０８を内臓し、データサーバ１１０と制御用コンピュータ１１１と上位システム（データ管理システム）１１２と上位システム（送出制御コンピュータ）１１３とネットワークにて接続されている。
【００２２】
データサーバ１１０は、本編（番組）素材、ＣＭ素材、スーパー素材、音声素材の登録用情報、および放送進行データを管理している。
【００２３】
制御用コンピュータ１１１は、登録／プレビュー卓１０９からの登録コマンド（制御信号）により、映像音声再生装置１０２とビデオサーバ１０４の制御を行い、映像音声再生装置１０２から再生された映像音声信号１０は分配器１０３を通り、分配器１０３を通った映像音声信号１１はビデオサーバ１０４に記録され登録される。
【００２４】
またビデオサーバ１０４に登録後、登録／プレビュー卓１０９からの再生コマンドにより、ビデオサーバ１０４の再生を行うと、ビデオサーバ１０４のプレビューラインからの映像音声信号１２，１３は、スイッチャー１０５，スーパー装置１０６を経由して映像モニタ１０７に入力され、プレビューされる。
【００２５】
また本編素材に静止画素材のスーパーインポーズを行う必要がある場合は、映像音声信号（本編素材）１２、映像音声信号（静止画素材）１３をスーパー装置１０６に入力することで、スーパー装置１０６から、本編（番組）素材上の特定位置にスーパーインポーズされた静止画素材を有する映像音声信号１４が出力され、映像モニタ１０７に入力され、プレビューされる。
【００２６】
プレビューして事前確認後、上位システム（送出制御コンピュータ）１１３からの送出コマンドを受けると、ビデオサーバ１０４のＯＮ  ＡＩＲ（送出）ラインからの映像音声信号１５が、分配器１１４を経由して外部にＯＮ  ＡＩＲ（送出）され、またその際モニタ１１５でモニタされる。
【００２７】
図２は、本発明の事前プレビューを行う作業フローを示す図である。
【００２８】
まずステップ２０１で、データサーバ１１０は上位システム（データ管理システム）１１２から各素材（本編素材、ＣＭ素材、スーパー素材、音声素材）のファイリングデータを受信する。
【００２９】
次にステップ２０２で、登録／プレビュー卓１０９はデータサーバ１１０から各素材（本編素材、ＣＭ素材、スーパー素材、音声素材）のファイリングデータを読み込み、制御用コンピュータ１１１にファイリングコマンドを送ると、制御用コンピュータ１１１は映像音声再生装置１０２とビデオサーバ１０４を制御して、映像音声信号１０，１１をビデオサーバ１０４に収録する。
【００３０】
次にステップ２０３で、データサーバ１１０は上位システム（データ管理システム）１１２から一日分の放送進行スケジュールを格納している放送進行データを受信する。
【００３１】
次にステップ２０４で、登録／プレビュー卓１０９はデータサーバ１１０から放送進行データを読み込む。
【００３２】
次にステップ２０５で、登録／プレビュー卓１０９は放送進行データプレビュー画面を表示する。
【００３３】
図３は、登録／プレビュー卓１０９に表示の放送進行データプレビュー画面の例である。番組内の放送進行データを示すスケジュール構成が、図３の上下方向に、スケジュール構成の各素材（本編，ＣＭ，本編，ＣＭ，本編，静止画スーパー，ＣＭ，本編，…）毎に、開始時刻などを付し表示される。また静止画スーパーの場合はそのＯＮ時刻のラップ、ＯＦＦ時刻のラップもさらに付し表示される。またプレビュー済である素材についてはそのことを状態の項目に済を付し表示されている。
【００３４】
また、放送進行データプレビュー画面の下方に、プレビュー開始（等速）ボタン３０１、プレビュー開始（倍速）ボタン３０２、プレビュー終了ボタン３０３、プレビュー承認ボタン３０４、プレビュー戻るボタン３０５、モード選択ボックス３０６、再プレビュー選択ボックス３０７などを備える。
【００３５】
次にステップ２０６で、モード選択をする。モード選択ボックス３０６には「連続」が初期設定され、他のモードを選択するため、右端のマークをクリックすると、図４に示すように、「連続」および他のモード「ＣＭカット」，「変化点」，「ＯＬ点」，「変化点＋ＯＬ点」がプルダウンで表示されるので、そのうちの１つをクリックする。
【００３６】
なお、「連続」，「ＣＭカット」，「変化点」，「ＯＬ点」，「変化点＋ＯＬ点」の具体的内容は、図５に示した通りである。
【００３７】
次にステップ２０７で、再プレビュー選択をする。再プレビュー選択ボックス３０７には「プレビュー済イベントを飛ばす」が初期設定され、他のモードを選択するため、右端のマークをクリックすると、図６に示すように、「プレビュー済イベントを飛ばす」の他に「プレビュー済イベントをプレビューする」がプルダウンで表示されるので、そのうちの１つをクリックする。
【００３８】
なお、「プレビュー済イベントを飛ばす」，「プレビュー済イベントをプレビューする」の具体的内容は、図７に示した通りである。
【００３９】
次にステップ２０８で、プレビュー開始（等速）ボタン３０１かプレビュー開始（倍速）ボタン３０２を押す。プレビュー開始（等速）ボタン３０１を押すと、等速即ち１倍速でプレビューを開始する。プレビュー開始（倍速）ボタン３０２を押すと、倍速即ち２倍速でプレビューを開始する。
【００４０】
次にステップ２０９で、登録／プレビュー卓１０９は制御用コンピュータ１１１に制御コマンドを送信する。制御用コンピュータ１１１は放送進行データに従って、ビデオサーバ１０４を制御し、ビデオサーバ１０４に収録されている素材を再生し、ビデオサーバ１０４のプレビューラインから映像モニタ１０７で表示する。また本編素材に静止画素材のスーパーインポーズを行う必要がある場合は、スーパー装置１０６により静止画がスーパーインポーズされた本編素材を、映像モニタ１０７で表示する。
【００４１】
次にステップ２１０で、プレビュー終了ボタン３０３を押す。
【００４２】
次にステップ２１１で、映像モニタ１０７に表示された、放送進行データに従ったプレビュー画面をみて、内容／制御タイミングが正しいかを判断する。
【００４３】
ステップ２１１で正しくない場合は、ステップ２１２で、上位システム（データ管理システム）１１２で放送進行データを修正して、ステップ２０３に戻し、もう一度放送進行データに従ったプレビューを行う。
【００４４】
ステップ２１１で正しい場合は、ステップ２１３で、プレビュー承認ボタン３０４を押す。すると、放送進行データに済を付し、図３の放送進行データプレビュー画面中の放送進行データの状態の項目に済を付し表示するとともに、ステップ２０６のモード選択およびステップ２０３のデータサーバ１１０に戻す。
【００４５】
ステップ２１３で、プレビュー戻るボタン３０５を押すことで、プレビューを終了する。
【００４６】
本実施の形態によれば、本編素材、ＣＭ素材、スーパー素材、音声素材を共通のビデオサーバに収録するため、ビデオサーバシステム単体で、即ち、ビデオサーバのプレビューラインを用いることによって、任意の時刻に、実際の放送イメージで、本編素材、ＣＭ素材、スーパー素材、音声素材をプレビューすることが可能となる。
【００４７】
すなわち、ＯＮ  ＡＩＲラインを使用しないため、上記のように、任意の時刻にプレビューすることが可能であり、従来のように、実際の放送進行データの時刻から指定時間マイナスした時刻の事前確認用制御データを生成する必要もないし、放送休止時間にしかプレビューすることができないといった制限もない。
【００４８】
また本実施の形態によれば、モード選択を備え、モード選択で連続を選択してプレビューを開始したときは、放送進行データに従って実際の放送イメージでの事前確認が可能で、モード選択でスーパーかイベントの変化点の少なくともいずれかを選択してプレビューを開始したときは、放送進行データに従って選択した項目のみの事前確認が可能であり、モード選択で選択したモードに応じた事前確認が可能となる。したがって本編とＣＭの切替え／スーパーのタイミングを事前に確認することが可能で、重点的な確認が可能となる。
【００４９】
また本実施の形態によれば、再プレビュー選択を備え、再プレビュー選択でプレビュー済イベントを飛ばすことを選択してプレビューを開始したときは、プレビュー済イベントを飛ばして、プレビューしていないイベントのみを再生する。したがって未確認のイベントのみの確認が可能で、重点的な確認が可能となる。
【００５０】
また本実施の形態によれば、速度（等速，倍速）選択を備え、速度を選択してプレビューを開始したときは、選択した速度で、放送進行データに従って実際の放送イメージで、前記共通のビデオサーバに収録されている少なくとも本編素材、ＣＭ素材、スーパー素材を順次再生し、前記共通のビデオサーバのプレビューラインを使って画面表示して事前プレビューすることができる。したがって倍速で放送進行データに従っての確認が可能で、効率的な確認が可能となる。
【００５１】
そのため、放送運行管理者の作業効率が上がり、作業時間の軽減が図れる。
【図面の簡単な説明】
【００５２】
【図１】本発明の本編（番組）素材、ＣＭ素材、静止画素材、音声素材を統合した放送システムの実施の形態のブロック構成図である。
【図２】本発明の事前プレビューを行う作業フローを示す図である。
【図３】本発明の登録／プレビュー卓に表示の放送進行データ画面の例である。
【図４】本発明のモード選択ボックスの各選択項目を示す図である。
【図５】本発明のモード選択ボックスの各選択項目の具体的内容を示す図である。
【図６】本発明の再プレビュー選択ボックスの各選択項目を示す図である。
【図７】本発明の再プレビュー選択ボックスの各選択項目の具体的内容を示す図である。
【符号の説明】
【００５３】
１０１…映像音声素材、１０２…映像音声再生装置、１０３…分配器、１０４…ビデオサーバ、１０５…スイッチャー、１０６…スーパー装置、１０７…映像モニタ、１０８…キャプチャーボード、１０９…登録／プレビュー卓、１１０…データサーバ、１１１…制御用コンピュータ、１１２…上位システム（データ管理システム）、１１３…上位システム（送出制御コンピュータ）、１１４…分配器、１１５…モニタ、３０１…プレビュー開始（等速）ボタン、３０２…プレビュー開始（倍速）ボタン、３０３…プレビュー終了ボタン、３０４…プレビュー承認ボタン、３０５…プレビュー戻るボタン、３０６…モード選択ボックス、３０７…再プレビュー選択ボックス。
【図１】
2006148644.tif 000003
【図２】
2006148644.tif 000004
【図３】
2006148644.tif 000005
【図４】
2006148644.tif 000006
【図５】
2006148644.tif 000007
【図６】
2006148644.tif 000008
【図７】
2006148644.tif 000009